(57)【要約】【課題】  モニター端子が開放状態であっても，上り通信に影響を与えない増幅装置を提供する。【解決手段】第１の周波数帯域の下り信号が通過する第１の経路２０と，前記第２の周波数帯域の下り信号が通過する第２の経路３０と，前記第３の周波数帯域の上り信号が通過する第３の経路４０と，前記第４の周波数帯域の上り信号が通過する第４の経路５０とを備え，前記第１の経路２０には前記第１の周波数帯域の下り信号を増幅するための第１の増幅器２１と，前記第１の増幅器２１が出力した下り信号の一部を分岐するための第１の分岐器２２とを備えると共に，前記第２の経路３０には前記第２の周波数帯域の下り信号を増幅するための第２の増幅器３１と，前記第２の増幅器３１が出力した下り信号の一部を分岐するための第２の分岐器３２と，前記第１及び第２の分岐器で分岐された信号を混合して下りモニター端子４に出力する第１の混合器１６を備える。【選択図】  図１
2005295178.tif 000002
【特許請求の範囲】
【請求項１】
上流側の端子に入力される第１及び第２の周波数帯域の下り信号を帯域別に増幅したのち混合して下流側の端子から出力すると共に，該下流側の端子に入力される第３及び第４の周波数帯域の上り信号を増幅して該上流側の端子から出力する増幅装置において，
前記第１の周波数帯域の下り信号が通過する第１の経路と，
前記第２の周波数帯域の下り信号が通過する第２の経路と，
前記第３の周波数帯域の上り信号が通過する第３の経路と，
前記第４の周波数帯域の上り信号が通過する第４の経路と，
を備え，前記第１の経路には前記第１の周波数帯域の下り信号を増幅するための第１の増幅器と，
前記第１の増幅器が出力した下り信号の一部を分岐するための第１の分岐器と，
を備えると共に，前記第２の経路には前記第２の周波数帯域の下り信号を増幅するための第２の増幅器と，
前記第２の増幅器が出力した下り信号の一部を分岐するための第２の分岐器と，
前記第１及び第２の分岐器で分岐された信号を混合して下りモニター端子に出力する第１の混合器を備えたことを特徴とする増幅装置。
【請求項２】
前記第３の経路には前記第３の周波数帯域の上り信号を増幅するための第３の増幅器と，
前記第３の増幅器が出力した上り信号の一部を分岐するための第３の分岐器と，
を備えると共に，前記第４の経路には前記第４の周波数帯域の上り信号を増幅するための第４の増幅器と，
前記第４の増幅器が出力した上り信号の一部を分岐するための第４の分岐器と，
前記第３及び第４の分岐器で分岐された信号を混合して上りモニター端子に出力する第２の混合器を備えたことを特徴とする請求項１に記載の増幅装置。
【発明の詳細な説明】
【技術分野】
【０００１】
本発明は，双方向ＣＡＴＶシステムで用いられる増幅装置に関するものである。より詳しくはモニター端子から混入する上り流合雑音を低減する増幅装置に関する。
【背景技術】
【０００２】
従来，双方向ＣＡＴＶシステムで用いられる増幅装置は，ＶＨＦ・ＵＨＦ帯の地上波放送を受信するための地上波受信アンテナ，ＢＳやＣＳ等衛星放送を受信するための衛星受信アンテナ，ＣＡＴＶ伝送路と接続するために１つ以上の入力端子を備えており，地上波受信アンテナで受信した地上波信号，衛星受信アンテナで受信した衛星信号，ＣＡＴＶセンター局から送出されたＣＡＴＶ下り信号をそれぞれの帯域の信号のみ増幅する各下り増幅器で増幅したのち，混合器で混合され出力端子から出力されるようになっている。また，出力端子から入力されたＣＡＴＶの上り信号は当該上り信号のみ増幅する上り増幅器で増幅したのちＣＡＴＶ伝送路が接続されている入力端子を介してＣＡＴＶ伝送路に出力されるようになっている。また，下り信号レベルを測定できるようにするため，混合器と出力端子の間には下り信号の一部を取り出しモニター端子に出力するようになっている。（例えば，特許文献１参照）。
また，入力端子に入力された下り信号は、混合分配器でＢＳ放送等の周波数帯域とＣＡＴＶ放送等の周波数帯域に分割され、それぞれ増幅回路で増幅される。増幅回路の出力信号は、それぞれ分岐器でモニター用の信号が分岐され、混合器で混合されてモニター端子から出力される。一方、出力端子に入力された上り信号は、混合分配器から分岐器を通って増幅回路で増幅され、入力端子から出力されるようになっている。（例えば，特許文献２参照）。
【０００３】
【特許文献１】特開平８−２８８７６３号公報
【特許文献２】特開２００４−４８１４３号公報
【発明の開示】
【発明が解決しようとする課題】
【０００４】
しかし，上記提案の技術ではモニター端子から妨害波信号が混入した場合，ＣＡＴＶセンター局に伝送されてしまい，上り信号の伝送品質が低下してしまうという問題がある。所謂上り流合雑音の問題が発生する。モニター端子に測定装置を接続している場合は比較的妨害信号は混入しにくいが，一般に，測定器を接続しない定常状態ではモニター端子を開放状態になることが多く増幅装置の近くに妨害波信号を放射する無線機器等の電子機器が存在すると妨害波信号はモニター端子を介して増幅装置内に侵入し，もし，妨害波信号の中に上り信号の周波数成分を含む場合は，上り信号増幅器で増幅されＣＡＴＶ伝送路に出力されてしまい，本来の上り信号に悪影響を与えてしまう問題がある。最悪事には全く上り通信ができなくなってしまう。
そこで本願においては，こうした問題点を解決するためになされたものであり，その目的は，モニター端子が開放状態であっても，妨害波信号，特に上り帯域の妨害信号が混入しない増幅装置を提供することである。
その他の目的は，上り通信に影響を与えない増幅装置を提供することである。
【課題を解決するための手段】
【０００５】
上記課題を解決するために，請求項１の発明は，上流側の端子に入力される第１及び第２の周波数帯域の下り信号を帯域別に増幅したのち混合して下流側の端子から出力すると共に，該下流側の端子に入力される第３及び第４の周波数帯域の上り信号を増幅して該上流側の端子から出力する増幅装置において，前記第１の周波数帯域の下り信号が通過する第１の経路と，前記第２の周波数帯域の下り信号が通過する第２の経路と，前記第３の周波数帯域の上り信号が通過する第３の経路と，前記第４の周波数帯域の上り信号が通過する第４の経路とを備え，前記第１の経路には前記第１の周波数帯域の下り信号を増幅するための第１の増幅器と，前記第１の増幅器が出力した下り信号の一部を分岐するための第１の分岐器とを備えると共に，前記第２の経路には前記第２の周波数帯域の下り信号を増幅するための第２の増幅器と，前記第２の増幅器が出力した下り信号の一部を分岐するための第２の分岐器と，前記第１及び第２の分岐器で分岐された信号を混合して下りモニター端子に出力する第１の混合器を備えるように構成される。
【０００６】
請求項２の発明は，請求項１に記載の増幅装置において，前記第３の経路には前記第３の周波数帯域の上り信号を増幅するための第３の増幅器と，前記第３の増幅器が出力した上り信号の一部を分岐するための第３の分岐器とを備えると共に，前記第４の経路には前記第４の周波数帯域の上り信号を増幅するための第４の増幅器と，前記第４の増幅器が出力した上り信号の一部を分岐するための第４の分岐器と，前記第３及び第４の分岐器で分岐された信号を混合して上りモニター端子に出力する第２の混合器を備えるように構成される。
【発明の効果】
【０００７】
請求項１の発明によれば，上流側の端子に入力される第１及び第２の周波数帯域の下り信号を帯域別に増幅したのち混合して下流側の端子から出力すると共に，該下流側の端子に入力される第３及び第４の周波数帯域の上り信号を増幅して該上流側の端子から出力する増幅装置において，前記第１の周波数帯域の下り信号が通過する第１の経路と，前記第２の周波数帯域の下り信号が通過する第２の経路と，前記第３の周波数帯域の上り信号が通過する第３の経路と，前記第４の周波数帯域の上り信号が通過する第４の経路とを備え，前記第１の経路には前記第１の周波数帯域の下り信号を増幅するための第１の増幅器と，前記第１の増幅器が出力した下り信号の一部を分岐するための第１の分岐器とを備えると共に，前記第２の経路には前記第２の周波数帯域の下り信号を増幅するための第２の増幅器と，前記第２の増幅器が出力した下り信号の一部を分岐するための第２の分岐器と，前記第１及び第２の分岐器で分岐された信号を混合して下りモニター端子に出力する第１の混合器を備えるように構成したので，
モニター端子が開放状態であっても，妨害波信号，特に上り帯域の妨害信号が混入しない増幅装置を提供することができる。また，上り通信に影響を与えない増幅装置を提供することができる。
【０００８】
請求項２の発明によれば，請求項１に記載の増幅装置において，前記第３の経路には前記第３の周波数帯域の上り信号を増幅するための第３の増幅器と，前記第３の増幅器が出力した上り信号の一部を分岐するための第３の分岐器とを備えると共に，前記第４の経路には前記第４の周波数帯域の上り信号を増幅するための第４の増幅器と，前記第４の増幅器が出力した上り信号の一部を分岐するための第４の分岐器と，前記第３及び第４の分岐器で分岐された信号を混合して上りモニター端子に出力する第２の混合器を備えるように構成したので，
モニター端子が開放状態であっても，妨害波信号，特に上り帯域の妨害信号が混入しない増幅装置を提供することができる。また，上り通信に影響を与えない増幅装置を提供することができる。さらに，下り信号はもとより上り信号の測定が容易になり，双方向で測定が可能になる増幅装置を提供することができる。。
【発明を実施するための最良の形態】
【０００９】
以下に，本発明を具体化した実施形態の例を，図面を基に詳細に説明する。
【実施例１】
【００１０】
図１は本発明を適用した増幅装置のブロック図を示したものである。１は双方向ＣＡＴＶシステムで用いられる増幅装置であり，上流側の端子としての入力端子２と，下流側の端子としての出力端子３と，下りモニター端子４を備えている。また，前記第１の周波数帯域の下り信号，前記第２の周波数帯域の下り信号，前記第３の周波数帯域の上り信号及び，前記第４の周波数帯域の上り信号をそれぞれ分離・混合するための混合分配器１０・１１・１２・１３・１４・１５を備えている。
【００１１】
２０は第１の経路を示し，前記第１の周波数帯域の下り信号たとえば，１．０３〜２．６ＧＨｚ帯のＢＳ・ＣＳ衛星放送信号が通過する経路である。２１は第１の増幅器で，前記第１の経路を通過するＢＳ・ＣＳ衛星放送信号を増幅するための増幅器である。２２は第１の分岐器で，前記第１の増幅器で増幅された前記第１の周波数帯域の下り信号（１．０３〜２．６ＧＨｚ帯のＢＳ・ＣＳ衛星放送信号）の一部を分岐して取り出すための分岐器である。
【００１２】
３０は第２の経路を示し，前記第２の周波数帯域の下り信号たとえば，９０〜６０２ＭＨｚ帯のＣＡＴＶ下り信号が通過する経路である。３１は第２の増幅器で，前記第２の経路を通過するＣＡＴＶ下り信号を増幅するための増幅器である。３２は第２の分岐器で，前記第２の増幅器で増幅された前記第２の周波数帯域の下り信号（９０〜６０２ＭＨｚ帯のＣＡＴＶ下り信号）の一部を分岐して取り出すための分岐器である。
【００１３】
４０は第３の経路を示し，前記第３の周波数帯域の上り信号たとえば，６５０〜７７０ＭＨｚ帯のＣＡＴＶ上りＨｉｇｈ信号が通過する経路である。４１は第３の増幅器で，前記第３の経路を通過するＣＡＴＶ上りＨｉｇｈ信号を増幅するための増幅器である。
【００１４】
５０は第４の経路を示し，前記第４の周波数帯域の上り信号たとえば，１０〜５５ＭＨｚ帯のＣＡＴＶ上りＬｏｗ信号が通過する経路である。５１は第４の増幅器で，前記第４の経路を通過するＣＡＴＶ上りＬｏｗ信号を増幅するための増幅器である。
【００１５】
１６は第１の混合器で，前記第１の分岐器２２で分岐した前記第１の周波数帯域の下り信号（１．０３〜２．６ＧＨｚ帯のＢＳ・ＣＳ衛星放送信号）のモニター用出力信号と，前記第２の分岐器３２で分岐した前記第２の周波数帯域の下り信号（９０〜６０２ＭＨｚ帯のＣＡＴＶ下り信号）のモニター用出力信号を混合して下りモニター端子に出力するための混合器である。
【００１６】
次に，動作について詳細に説明する。
入力端子２に入力された第１の周波数帯域の下り信号（１．０３〜２．６ＧＨｚ帯のＢＳ・ＣＳ衛星放送信号）と，前記第２の周波数帯域の下り信号（９０〜６０２ＭＨｚ帯のＣＡＴＶ下り信号）は混合分配器１０で分離され，前記第１の周波数帯域の下り信号（１．０３〜２．６ＧＨｚ帯のＢＳ・ＣＳ衛星放送信号）は第１の経路２０を通り，第１の増幅器２１で増幅され第１の分岐器２２及び混合分配器１５を介して出力端子３から出力される。
【００１７】
なお，混合分配器１０・１５は，たとえばカットオフ周波数が９００ＭＨｚのハイパスフィルタ（以下ＨＰＦという）と同じくカットオフ周波数が９００ＭＨｚのローパスフィルタ（以下ＬＰＦという）で構成されており，共にＨＰＦ側が第１の経路２０と接続されており，ＬＰＦ側が混合分配器１１・１４にそれぞれ接続されている。
【００１８】
一方，前記第２の周波数帯域の下り信号（９０〜６０２ＭＨｚ帯のＣＡＴＶ下り信号）は混合分配器１０・１１・１２で分離され，第２の経路３０を通り，第２の増幅器３１で増幅され第２の分岐器３２及び混合分配器１３・１４・１５を介して出力端子３から出力される。
【００１９】
なお，混合分配器１１・１４は，たとえばカットオフ周波数が６３０ＭＨｚのＨＰＦと同じくカットオフ周波数が６３０ＭＨｚのＬＰＦで構成されており，共にＨＰＦ側が第３の経路４０と接続され，ＬＰＦ側が混合分配器１２・１３にそれぞれ接続されている。
また，混合分配器１２・１３は，たとえばカットオフ周波数が８０ＭＨｚのＨＰＦと同じくカットオフ周波数が８０ＭＨｚのＬＰＦで構成されており，共にＨＰＦ側が第２の経路３０と接続され，ＬＰＦ側が第４の経路５０と接続されている。
【００２０】
次に，前記第１の増幅器２１で増幅された前記第１の周波数帯域の下り信号（１．０３〜２．６ＧＨｚ帯のＢＳ・ＣＳ衛星放送信号）と，前記第２の増幅器で増幅された前記第２の周波数帯域の下り信号（９０〜６０２ＭＨｚ帯のＣＡＴＶ下り信号）の一部をモニター用出力信号として分岐器２２，分岐器３２で取り出し，第１の混合器１６で混合して下りモニター端子４に出力するようになっている。
【００２１】
一方，出力端子３に入力された第３の周波数帯域の上り信号（６５０〜７７０ＭＨｚ帯のＣＡＴＶ上りＨｉｇｈ信号）と，前記第４の周波数帯域の上り信号（１０〜５５ＭＨｚ帯のＣＡＴＶ上りＬｏｗ信号）は混合分配器１５・１４で分離され，前記第３の周波数帯域の上り信号（６５０〜７７０ＭＨｚ帯のＣＡＴＶ上りＨｉｇｈ信号）は第３の経路４０を通り，第３の増幅器４１で増幅され混合分配器１１・１０を介して入力端子２から出力される。
【００２２】
一方，前記第４の周波数帯域の上り信号（１０〜５５ＭＨｚ帯のＣＡＴＶ上りＬｏｗ信号）は混合分配器１５・１４・１３で分離され，第４の経路５０を通り，第４の増幅器５１で増幅され混合分配器１２・１１・１０を介して入力端子２から出力される。
【００２３】
ところで，下りモニター端子４が開放の状態で，たとえば２７ＭＨｚ帯の電波を出力する無線機を増幅装置１の近くで使用する場合，妨害波信号は下りモニター端子から増幅装置１内に一旦侵入するが，第２の分岐器３２の逆結合阻止量（２０ｄＢ）及び，混合分配器１３の帯域外減衰量（２０〜４０ｄＢ）により，従来の構成に比べて４０〜６０ｄＢ改善できるという優れた効果を奏する。このため，妨害波信号がＣＡＴＶセンター局に伝達されることはなく，上り通信に妨害を与えることもない。
【実施例２】
【００２４】
次に本発明の第２の実施形態として図２を参照して説明する。尚，以下の説明では，上記第１の実施形態の増幅装置と同様の構成要素については同一符号を付与し，詳細な説明は省略する。
【００２５】
図２において，図１との相違点は増幅装置１００に上りモニター端子５を備えさせている点である。
このように構成すると，下り信号はもとより上り信号の測定が容易になり，双方向で測定が可能になる。
【００２６】
第３の経路４０に設けた第３の増幅器４１で増幅された前記第３の周波数帯域の上り信号（６５０〜７７０ＭＨｚ帯のＣＡＴＶ上りＨｉｇｈ信号）は，第３の分岐器４２で上りモニター用信号を取り出される。
また，第４の経路５０に設けた第４の増幅器５１で増幅された前記第４の周波数帯域の上り信号（１０〜５５ＭＨｚ帯のＣＡＴＶ上りＬｏｗ信号）は，第３の分岐器５２で上りモニター用信号を取り出される。
そして，分岐器４２，分岐器５２で取り出したモニター信号は第２の混合器１７で混合され，前記上りモニター端子５に出力されるようになっている。
【００２７】
尚，本発明は上記実施の形態に限定されるものではなく，以下に例示するように，本発明の趣旨を逸脱しない範囲で各部を適宜に変更して実施することも可能である。
たとえば，本実施例では，前記第１の周波数帯域の下り信号として，１．０３〜２．６ＧＨｚ帯のＢＳ・ＣＳ衛星放送信号を，また，前記第２の周波数帯域の下り信号として，９０〜６０２ＭＨｚ帯のＣＡＴＶ下り信号を，また，前記第３の周波数帯域の上り信号として，６５０〜７７０ＭＨｚ帯のＣＡＴＶ上りＨｉｇｈ信号を，また，前記第４の周波数帯域の上り信号として，１０〜５５ＭＨｚ帯のＣＡＴＶ上りＬｏｗ信号を使用した例を説明したが，たとえば，第１の周波数帯域の下り信号として，１．０３〜１．５ＧＨｚ帯のＢＳ衛星放送信号に変更しても良いし，第２の周波数帯域の下り信号として，７０〜４５０ＭＨｚ帯のＣＡＴＶ下り信号に変更しても良い。また，ＣＡＴＶ下り信号の変わりにＶＨＦならびにＵＨＦ帯の地上波放送信号に変更しても良い。また，第４の周波数帯域の上り信号として比較的妨害波信号が少ない３０〜５５ＭＨｚ帯のＣＡＴＶ上りＬｏｗ信号に変更しても良い。
【００２８】
本実施例では混合分配器１０・１１・１２・１３・１４・１５はＨＰＦとＬＰＦで構成したが，これに限定されることはなく，分配器，混合器とＨＰＦ，ＬＰＦ，バンドパスフィルタ（ＢＰＦ）等を組み合わせて構成してもよい。
【図面の簡単な説明】
【００２９】
【図１】本発明を適用した増幅装置のブロック図である。
【図２】第２実施例の増幅装置のブロック図である。
【符号の説明】
【００３０】
１・１００…増幅装置，２…入力端子（上流側の端子），３…出力端子（下流側の端子），４…下りモニター端子，５…上りモニター端子，１０・１１・１２・１３・１４・１５…混合分配器，１６…第１の混合器，１７…第２の混合器，２０…第１の経路，２１…第１の増幅器，２２…第１の分岐器，３０…第２の経路，３１…第２の増幅器，３２…第２の分岐器，４０…第３の経路，４１…第３の増幅器，４２…第３の分岐器，５０…第４の経路，５１…第４の増幅器，５２…第４の分岐器。
【図１】
2005295178.tif 000003
【図２】
2005295178.tif 000004